(57)【要約】【課題】読取部の近傍で発生した原稿のジャムを容易に解消することができ、かつ、読取部近傍から電荷を逃がすことができる、画像読取装置を提供する。【解決手段】メンテナンスカバー９を閉位置から開位置に変位させることにより、上読取部４８を開放することができる。よって、上読取部４８の近傍で発生したシートのジャムを容易に解消することができる。また、メンテナンスカバー９が閉位置に位置する状態では、アース部材９１が原稿押さえ部材６３に接触する。アース部材９１は、駆動伝達部８１を支持する金属製の駆動フレームに直接に接続されている。これにより、上読取部４８および原稿押さえ部材６３が帯電しても、上読取部４８および原稿押さえ部材６３からアース部材９１を介して駆動フレームに電荷を逃がすことができる。よって、上読取部４８および原稿押さえ部材６３の帯電による読取品質の低下を防止することができる。【選択図】図５
2014120850.tif 000002
【特許請求の範囲】
【請求項１】
原稿を搬送経路に沿って搬送する搬送部と、
前記搬送経路を所定の搬送方向に搬送される原稿の画像を読み取る読取部と、
前記読取部を開放する開位置と前記読取部を覆う閉位置とに変位可能に設けられたカバー部材と、
前記カバー部材に保持され、前記カバー部材が前記閉位置に位置する状態で前記搬送経路を挟んで前記読取部と対向し、原稿を前記読取部に向けて押圧するための金属製の押さえ部材と、
前記カバー部材が前記閉位置に位置する状態で前記押さえ部材に対して前記搬送方向と直交する幅方向に対向し、前記搬送部を支持する金属製のフレームと、
前記フレームに直接に接続され、前記カバー部材が前記開位置に位置するときに、前記押さえ部材から離間し、前記カバー部材が前記閉位置に位置するときに、前記押さえ部材に接触するアース部材とを備える、画像読取装置。
【請求項２】
前記カバー部材が前記閉位置に位置する状態で前記幅方向における前記押さえ部材と前記フレームとの間の位置に配置され、前記アース部材を支持する支持部を備える、請求項１に記載の画像読取装置。
【請求項３】
前記支持部には、前記アース部材の移動を規制する規制部が形成されている、請求項２に記載の画像読取装置。
【請求項４】
前記支持部には、前記アース部材が前記カバー部材側に抜けることを防止する抜け止め部が形成されている、請求項２または３に記載の画像読取装置。
【請求項５】
前記抜け止め部は、前記幅方向に間隔を空けた２箇所に設けられており、前記搬送方向の一方側から前記アース部材に当接する当接面と、前記当接面から前記搬送方向の他方側に突出し、前記アース部材に前記カバー部材側から当接する爪とを備え、
前記支持部には、２つの前記抜け止め部の間に、突起が形成されており、
前記アース部材は、２つの前記抜け止め部の間において、前記突起を前記搬送方向の前記一方側に避け、少なくとも一部が前記当接面を含む仮想平面に対して前記搬送方向の前記一方側に位置するように設けられている、請求項４に記載の画像読取装置。
【請求項６】
前記アース部材は、金属製の線材を折り曲げて形成された屈曲部を含み、前記屈曲部の弾性を利用して、前記押さえ部材に弾性的に接触する、請求項１〜５のいずれか一項に記載の画像読取装置。
【請求項７】
前記押さえ部材は、金属板を折り曲げて形成されており、前記カバー部材が前記閉位置に位置する状態で前記読取部に対向する対向面と、前記対向面に連続し、前記アース部材における直線状に延びる部分が接触する連続面とを有している、請求項６に記載の画像読取装置。
【請求項８】
前記カバー部材が前記閉位置に位置する状態で前記押さえ部材を前記読取部側に付勢する付勢部材を備え、
前記アース部材は、前記屈曲部と前記押さえ部材とが接触したときに、前記屈曲部に生じる弾性力が前記押さえ部材の自重と前記付勢部材の付勢力との合計よりも小さくなるように設計されている、請求項６または７に記載の画像読取装置。
【請求項９】
前記搬送経路は、相対的に上側に位置する上経路および相対的に下側に位置する下経路を有するＵ字状に形成され、
前記読取部は、前記上経路および前記下経路の一方の下側に配置されて、前記上経路および前記下経路の一方を搬送される原稿の画像を読み取る第１の読取部であり、
前記上経路および前記下経路の他方の下側に配置されて、前記上経路および前記下経路の他方を搬送される原稿の画像を読み取る第２の読取部を備える、請求項１〜８のいずれか一項に記載の画像読取装置。
【発明の詳細な説明】
【技術分野】
【０００１】
本発明は、画像読取装置に関する。
【背景技術】
【０００２】
特許文献１には、原稿が原稿搬送路を搬送される間に、その原稿の両面の画像を読み取ることができる画像読取装置が開示されている。
【０００３】
この画像読取装置では、原稿保持トレイおよび原稿排出トレイが上下に設けられている。原稿搬送路は、原稿保持トレイと原稿排出トレイとの間に形成され、途中部が湾曲している。原稿搬送路を搬送される原稿は、湾曲した部分でその搬送方向が逆方向に折り返される。そして、原稿搬送路の湾曲した部分から原稿排出トレイに向けて延びる部分は、第１および第２の原稿読取部を順に経由している。第１の原稿読取部は、原稿搬送路の上側に配置されている。第２の原稿読取部は、原稿搬送路の下側に配置されている。原稿が原稿載置トレイから原稿搬送路を原稿排出トレイまで搬送される間に、原稿の一方の面の画像が第１の画像読取部に読み取られ、原稿の他方の面の画像が第２の画像読取部に読み取られる。
【先行技術文献】
【特許文献】
【０００４】
【特許文献１】特開２００６−３３３００３号公報
【発明の概要】
【発明が解決しようとする課題】
【０００５】
原稿読取部の近傍で、搬送経路を搬送される原稿がジャムを生じることがある。そのため、画像読取装置には、原稿読取部の近傍で発生した原稿のジャムを解消しやすい構成が望まれる。
【０００６】
また、原稿が読取部および押さえ部材に摺擦することにより、読取部および押さえ部材に電荷が溜まることがある。この電荷は、読取部による画像の読み取りの品質に悪影響を及ぼすおそれがある。
【０００７】
本発明の目的は、読取部の近傍で発生した原稿のジャムを容易に解消することができ、かつ、読取部近傍の電荷を逃がすことができる、画像読取装置を提供することである。
【課題を解決するための手段】
【０００８】
前記の目的を達成するため、本発明に係る画像読取装置は、原稿を搬送経路に沿って搬送する搬送部と、前記搬送経路を所定の搬送方向に搬送される原稿の画像を読み取る読取部と、前記読取部を開放する開位置と前記読取部を覆う閉位置とに変位可能に設けられたカバー部材と、前記カバー部材に保持され、前記カバー部材が前記閉位置に位置する状態で前記搬送経路を挟んで前記読取部と対向し、原稿を前記読取部に向けて押圧するための金属製の押さえ部材と、前記カバー部材が前記閉位置に位置する状態で前記押さえ部材に対して前記搬送方向と直交する幅方向に対向し、前記搬送部を支持する金属製のフレームと、前記フレームに直接に接続され、前記カバー部材が前記開位置に位置するときに、前記押さえ部材から離間し、前記カバー部材が前記閉位置に位置するときに、前記押さえ部材に接触するアース部材とを備える。
【０００９】
この構成によれば、カバー部材を閉位置から開位置に変位させることにより、読取部を開放することができる。よって、読取部の近傍で発生した原稿のジャムを容易に解消することができる。
【００１０】
カバー部材は、金属製の押さえ部材を保持している。カバー部材が閉位置に位置する状態で、押さえ部材が搬送経路を挟んで読取部と対向する。そのため、搬送部によって搬送される原稿の画像が読み取られるときには、押さえ部材により、原稿が読取部に向けて押圧される。これにより、原稿を読取部に密着させることができる。その結果、読取部により、原稿の画像を高品質に読み取ることができる。
【００１１】
カバー部材が閉位置に位置する状態では、アース部材が押さえ部材に接触する。アース部材は、搬送部を支持する金属製のフレームに直接に接続されている。これにより、読取部近傍および押さえ部材が帯電しても、押さえ部材からアース部材を介してフレームに電荷を逃がすことができる。よって、読取部近傍および押さえ部材の帯電による読取品質の低下を防止することができる。
【００１２】
また、カバー部材が開位置に位置する状態では、押さえ部材とアース部材とが離間する。そのため、カバー部材が変位されるときに、アース部材がカバー部材の変位の妨げになることを抑制できる。よって、カバー部材をスムーズに変位させることができる。
【００１３】
画像読取装置は、カバー部材が閉位置に位置する状態で幅方向における押さえ部材とフレームとの間の位置に配置され、アース部材を支持する支持部を備えていてもよい。
【００１４】
押さえ部材とフレームとの間で、アース部材を支持部によって支持することができる。
【００１５】
支持部には、アース部材の移動を規制する規制部が形成されていることが好ましい。
【００１６】
これにより、アース部材の移動が規制されるので、アース部材を押さえ部材とフレームとに安定して接続することができる。
【００１７】
支持部には、アース部材がカバー部材側に抜けることを防止する抜け止め部が形成されていてもよい。
【００１８】
これにより、カバー部材が開かれるときに、アース部材がカバー部材に連れられて、支持部から抜けることを防止できる。
【００１９】
抜け止め部は、幅方向に間隔を空けた２箇所に設けられており、搬送方向の一方側からアース部材に当接する当接面と、当接面から搬送方向の他方側に突出し、アース部材にカバー部材側から当接する爪とを備え、支持部には、２つの抜け止め部の間に、突起が形成されており、アース部材は、２つの抜け止め部の間において、突起を搬送方向の一方側に避け、少なくとも一部が当接面を含む仮想平面に対して搬送方向の一方側に位置するように設けられていてもよい。
【００２０】
この構成によれば、２つの当接面と突起とにより、アース部材を挟持して、アース部材をずれないように支持することができる。また、爪により、アース部材が２つの当接面と突起との間から抜けることを防止できる。
【００２１】
アース部材は、金属製の線材を折り曲げて形成された屈曲部を含み、屈曲部の弾性を利用して、押さえ部材に弾性的に接触していてもよい。
【００２２】
この構成によれば、カバー部材が開位置から閉位置に変位されるときに、アース部材の撓みにより、アース部材をそのカバー部材の移動に追従して接触させることができる。その結果、アース部材を押さえ部材に良好に接触させることができる。
【００２３】
押さえ部材は、金属板を折り曲げて形成されており、カバー部材が閉位置に位置する状態で読取部に対向する対向面と、対向面に連続し、アース部材における直線状に延びる部分が接触する連続面とを有していてもよい。
【００２４】
この構成によれば、押さえ部材の対向面により、原稿を読取部に向けて押圧することができる。アース部材が押さえ部材の連続面に接触するので、アース部材が原稿の搬送の妨げになったり、アース部材が対向面による原稿の押圧を阻害したりすることを抑制できる。
【００２５】
カバー部材が閉位置に位置する状態で押さえ部材を読取部側に付勢する付勢部材を備え、アース部材は、屈曲部と押さえ部材とが接触したときに、屈曲部に生じる弾性力が押さえ部材の自重と付勢部材の付勢力との合計よりも小さくなるように設計されていることが好ましい。
【００２６】
この構成によれば、アース部材の屈曲部に生じる弾性力により、押さえ部材が読取部から浮き上がることを抑制できる。そのため、押さえ部材により、原稿を読取部に向けて安定して押圧することができる。
【００２７】
搬送経路は、相対的に上側に位置する上経路および相対的に下側に位置する下経路を有するＵ字状に形成され、読取部は、上経路および下経路の一方の下側に配置されて、上経路および下経路の一方を搬送される原稿の画像を読み取る第１の読取部であり、画像読取装置は、上経路および下経路の他方の下側に配置されて、上経路および下経路の他方を搬送される原稿の画像を読み取る第２の読取部を備えていてもよい。
【００２８】
この構成によれば、原稿が搬送経路を搬送される間に、第１および第２の読取部により、原稿の両面の画像を読み取ることができる。
【発明の効果】
【００２９】
本発明によれば、カバー部材を閉位置から開位置に変位させることにより、読取部の近傍で発生した原稿のジャムを容易に解消することができる。カバー部材が閉位置に位置する状態では、押さえ部材により、原稿を読取部に向けて押圧することができる。また、カバー部材が閉位置に位置する状態では、読取部および押さえ部材からアース部材を介してフレームに電荷を逃がすことができる。よって、読取部により、原稿の画像を高品質に読み取ることができる。
【図面の簡単な説明】
【００３０】
【図１】本発明の第１の実施形態に係る画像読取装置３が備えられた複合機１の右前上側から見た斜視図である。
【図２】画像読取装置３の断面図である。
【図３】画像読取装置３のＡＤＦ筐体６の右前上側から見た斜視図であり、トレイ８がトレイ位置に位置し、メンテナンスカバー９が開位置に位置する状態を示す。
【図４】画像読取装置３の後端部の断面図である。
【図５】図４に示される二点鎖線Ａで囲まれる部分を拡大して示す断面図である。
【図６】ＡＤＦ筐体６の後端部の平面図であり、押さえ部材６３を残して、メンテナンスカバー９および駆動カバー８３が除去された状態を示す。
【図７】図６に示される二点鎖線Ｂで囲まれる部分を拡大して示す平面図である。
【図８】ＡＤＦ筐体６の内部フレーム３１の支持部材１０１の近傍の右後上側から見た斜視図である。
【図９】アース部材９１の左前上側から見た斜視図である。
【発明を実施するための形態】
【００３１】
以下では、本発明の実施の形態について、添付図面を参照しつつ詳細に説明する。
【００３２】
＜外観構成＞
【００３３】
図１に示されるように、本実施形態の複合機１は、画像形成装置２および画像読取装置３を含む。
【００３４】
画像形成装置２は、シートを収容可能な供給カセット４を備える。なお、本実施形態の複合機１では、上下二段の供給カセットを備えている。画像形成装置２は、供給カセット４から搬送されてくるシートに微滴化したインクを直接に噴射して、シートに画像を形成する、インクジェット方式を採用したものであってもよい。また、画像形成装置２は、供給カセット４から搬送されてくるシートにトナー像を転写および定着して、シートに画像を形成する、電子写真方式を採用したものであってもよい。
【００３５】
画像読取装置３は、スキャナ筐体５、本体側カバーの一例としてのＡＤＦ筐体６、操作パネル７、トレイ８、開閉部材の一例としてのメンテナンスカバー９およびストッパ１０を備える。
【００３６】
なお、以下の説明では、スキャナ筐体５に対するＡＤＦ筐体６側を上側とし、平面視でスキャナ筐体５の中央に対する操作パネル７側を前側として、上下、左右および前後の各方向を規定する。そして、図１以降の各図では、矢印で方向を表示する。
【００３７】
スキャナ筐体５は、画像形成装置２の上側に配置されている。
【００３８】
ＡＤＦ筐体６は、前側板１１および後側板１２を備える。前側板１１および後側板１２は、互いに前後方向に間隔を空けて配置されている。前側板１１の約左半分の左側部分１５は、残りの右側部分１６よりも上下方向の寸法が大きい。そのため、左側部分１５の上端は、右側部分１６の上端よりも高い位置に位置している。また、後側板１２の約左半分の左側部分１７は、残りの右側部分１８よりも上下方向の寸法が大きい。そのため、左側部分１７の上端は、右側部分１８の上端よりも高い位置に位置している。また、前側板１１および後側板１２は、画像読取装置３がコンパクトに見えるように、それぞれ上側ほど前後方向の内側に位置するように傾斜している。
【００３９】
操作パネル７は、スキャナ筐体５の前面１９に配設されている。操作パネル７は、使用者により各種設定のために操作され、情報の入力を受け、入力された情報を複合機１全体を制御する制御部（図示せず）に伝送する。また、操作パネル７は、その設定された内容などの情報を表示する表示部を含む。
【００４０】
トレイ８は、前側板１１の左側部分１５と後側板１２の左側部分１７との間に架設されている。トレイ８は、図１に示されるカバー位置と図２に示されるトレイ位置との間で、左側部分１５，１７の各右上端部間で前後方向に延びる回動軸線２０まわりに回動可能に設けられている。トレイ８は、カバー位置において、左側部分１５，１７の各上端縁に沿って延び、メンテナンスカバー９を上側から覆う。トレイ８は、トレイ位置において、左側部分１５，１７の各右端部間から右上がりに傾斜状に延びる。
【００４１】
メンテナンスカバー９は、前側板１１の左側部分１５と後側板１２の左側部分１７との間に架設されている。メンテナンスカバー９は、図３に示される閉位置と図４に示される開位置との間で、左側部分１５，１７の各左下端部間で前後方向に延びる回動軸線２１まわりに回動可能に設けられている。メンテナンスカバー９は、閉位置において、左側部分１５，１７の左端縁に沿って延びる側部２２と、側部２２の上端から左側部分１５，１７の上端縁に沿って延びる上部２３とを備える。側部２２は、画像読取装置３がコンパクトに見えるように、それぞれ上側ほど前後方向の内側に位置するように傾斜している。メンテナンスカバー９が開位置に位置する状態で、上部２３が略鉛直方向に延びる。
【００４２】
ストッパ１０は、ＡＤＦ筐体６の上面２４に形成された凹部２５に配置されている。ストッパ１０は、収納位置と展開位置との間で、凹部２５の右端部で前後方向に延びる回動軸線まわりに回動可能に設けられている。ストッパ１０は、収納位置において、凹部２５内に収納される。ストッパ１０は、展開位置において、凹部２５の右端部から右上がりに延出する。
【００４３】
＜内部構成＞
【００４４】
ＡＤＦ筐体６は、図２に示されるように、内部フレーム３１および下フレーム３２を備える。下フレーム３２は、内部フレーム３１の下側に設けられている。
【００４５】
内部フレーム３１は、閉位置に位置するメンテナンスカバー９の上部２３の下側に設けられている。また、内部フレーム３１は、上側内部フレーム３１Ａと下側内部フレーム３１Ｂとを有している。上側内部フレーム３１Ａと下側内部フレーム３１Ｂとは、メンテナンスカバー９と下フレーム３２との間で、上下に重なるように配置されている。
【００４６】
メンテナンスカバー９の内面と上側内部フレーム３１Ａとの間には、間隔が空けられている。また、下側内部フレーム３１Ｂと下フレーム３２との間にも、間隔が空けられている。これにより、メンテナンスカバー９の内面と上側内部フレーム３１Ａとの間および下フレーム３２と下側内部フレーム３１Ｂとの間には、シートＳが搬送される搬送経路３３が形成されている。搬送経路３３は、相対的に上側に位置する上経路３４、相対的に下側に位置する下経路３５および上経路３４と下経路３５とを接続する湾曲経路３６を有している。上経路３４は、メンテナンスカバー９の内面と上側内部フレーム３１Ａとの間で左右方向に延びる空間である。下経路３５は、下側内部フレーム３１Ｂと下フレーム３２との間で左右方向に延びる空間である。湾曲経路３６は、後述する第２ＬＦローラ４９の周面に沿って湾曲した空間である。
【００４７】
画像読取装置３は、湾曲経路３３におけるシートＳの搬送方向に沿って、供給部４１、１対のシート幅ガイド４２、供給ローラ４３、分離ローラ４４、分離片４５、第１従動ローラ４６、第１ＬＦローラ４７、上読取部４８、第２ＬＦローラ４９、第２従動ローラ５０、第３従動ローラ５１、下読取部５２、１対の排出ローラ５３および排出部５４を備える。
【００４８】
なお、以下の説明において、とくに明記しない限りは、メンテナンスカバー９が閉位置に位置しているものとする。
【００４９】
供給部４１は、メンテナンスカバー９の右端部の下側に間隔を空けて設けられている。供給部４１は、右上がりに延びている。画像読取の対象であるシートＳは、供給部４１とトレイ位置に位置するトレイ８とに跨がって保持される。
【００５０】
１対のシート幅ガイド４２は、供給部４１に設けられている。１対のシート幅ガイド４２は、互いに前後方向に向かい合っている。１対のシート幅ガイド４２は、それらの間の中央を基準として、互いに同じ移動量で近接および離間可能に構成されている。１対のシート幅ガイド４２の間隔は、供給部４１の上面４１に保持されるシートＳの前後方向の幅に合わせて調節される。シートＳは、１対のシート幅ガイド４２の間に右側から差し込まれる。これにより、シートＳは、供給部４１上にセンタ基準で保持される。
【００５１】
供給ローラ４３は、内部フレーム３１と後側板１２の左側部分１７の前側に配置される後述する駆動フレーム８２との間に、前後方向に延びる回転軸線まわりに回転可能に保持されている。供給ローラ４３の周面は、上経路３４において、供給部４１の左端部に上側から当接している。
【００５２】
分離ローラ４４は、供給ローラ４３の左側に配置されている。分離ローラ４４は、内部フレーム３１と後側板１２の左側部分１７の前側に配置される後述する駆動フレーム８２との間に、前後方向に延びる回転軸線まわりに回転可能に保持されている。
【００５３】
分離片４５は、分離ローラ４４の下側に配置されている。分離片４５は、内部フレーム３１に保持されている。分離片４５は、上経路３４において、分離ローラ４４の周面に下側から弾性的に当接している。
【００５４】
第１ＬＦローラ４７は、分離ローラ４４の左側に配置されている。第１ＬＦローラ４７は、内部フレーム３１と後側板１２の左側部分１７の前側に配置される後述する駆動フレーム８２との間に、前後方向に延びる回転軸線まわりに回転可能に保持されている。
【００５５】
第１従動ローラ４６は、第１ＬＦローラ４７の下側に配置されている。第１従動ローラ４６は、内部フレーム３１に、前後方向に延びる回転軸線まわりに回転可能に保持されている。第１従動ローラ４６の周面は、上経路３４において、第１ＬＦローラ４７の周面に当接している。第１従動ローラ４６は、第１ＬＦローラ４７の回転に従動して回転する。
【００５６】
上読取部４８は、密着イメージセンサモジュール６１、コンタクトガラス６２および原稿押さえ部材６３を備える。
【００５７】
密着イメージセンサモジュール６１は、第１ＬＦローラ４７の左側に配置されている。密着イメージセンサモジュール６１は、内部フレーム３１に下側に凹んで形成された凹部５５に収容されている。密着イメージセンサモジュール６１は、凹部５５内で前後方向に延びている。密着イメージセンサモジュール６１の内部には、たとえば、ＬＥＤ光源、レンズおよびイメージセンサなどが設けられている。
【００５８】
コンタクトガラス６２は、凹部５５を閉塞するように、密着イメージセンサモジュール６１の上側に設けられている。コンタクトガラス６２の上面は、上経路３４に臨んでいる。
【００５９】
原稿押さえ部材６３は、コンタクトガラス６２の上側に配置されている。原稿押さえ部材６３は、メンテナンスカバー９に付勢部材を介して弾性的に支持されている。原稿押さえ部材６３は、上経路３４において、コンタクトガラス６２の上面に弾性的に当接している。
【００６０】
第２ＬＦローラ４９は、内部フレーム３１と後側板１２の左側部分１７の前側に配置される後述する駆動フレーム８２との間に、前後方向に延びる回転軸線まわりに回転可能に保持されている。第２従動ローラ５０は、第２ＬＦローラ４９の上側に配置されている。第２従動ローラ５０は、メンテナンスカバー９に、前後方向に延びる回転軸線まわりに回転可能に保持されている。第２従動ローラ５０の周面は、湾曲経路３６において、第２ＬＦローラ４９の周面に当接している。第２従動ローラ５０は、第２ＬＦローラ４９の回転に従動して回転する。
【００６１】
第３従動ローラ５１は、第２ＬＦローラ４９の左下側に配置されている。第３従動ローラ５０は、下フレーム３２の左端部に、前後方向に延びる回転軸線まわりに回転可能に保持されている。第３従動ローラ５１の周面は、湾曲経路３６において、第２ＬＦローラ４９の周面に当接している。第３従動ローラ５１は、第２ＬＦローラ４９の回転に従動して回転する。
【００６２】
下読取部５２は、密着イメージセンサモジュール６４、コンタクトガラス６５および原稿押さえ部材６６を備える。
【００６３】
密着イメージセンサモジュール６４は、スキャナ筐体５に、左右方向に移動可能に設けられている。密着イメージセンサモジュール６４は、前後方向に延びている。密着イメージセンサモジュール６４の内部には、たとえば、ＬＥＤ光源、レンズおよびイメージセンサなどが設けられている。密着イメージセンサモジュール６４は、ＡＤＦ読取時および画像読取装置１の非使用時などにおいて、コンタクトガラス６５の左端部の下側に配置されている。
【００６４】
コンタクトガラス６５は、スキャナ筐体５の上面を覆うように設けられている。
【００６５】
原稿押さえ部材６６は、コンタクトガラス６５の左端部の上側に配置されている。原稿押さえ部材６６は、下側内部フレーム３１Ｂに付勢部材を介して弾性的に支持されている。原稿押さえ部材６６は、下経路３５において、コンタクトガラス６５の上面に弾性的に当接している。
【００６６】
１対の排出ローラ５３は、供給部４１の左端部の下側に配置されている。上側の排出ローラ５３は、内部フレーム３１と後側板１２の左側部分１７の前側に配置される後述する駆動フレーム８２との間に、前後方向に延びる回転軸線まわりに回転可能に保持されている。下側の排出ローラ５３は、下フレーム３２に、前後方向に延びる回転軸線まわりに回転可能に保持されている。下側の排出ローラ５３の周面は、下経路３５において、上側の排出ローラ５３の周面に当接している。下側の排出ローラ５３は、上側の排出ローラ５３の回転に従動して回転する。
【００６７】
排出部５４は、供給部４１の下側に設けられている。排出部５４の右端部は、下経路３５の出口より低い位置に位置している。排出部５４は、右上がりに延びている。
【００６８】
＜画像読取動作＞
【００６９】
画像読取装置１におけるシートＳの画像の読み取りの際には、図２に示されるように、トレイ８がトレイ位置に開かれ、メンテナンスカバー９が閉位置に閉じられる。前述したように、シートＳは、供給部４１およびトレイ８上にセンタ基準で保持される。この状態におけるシートＳの上面を表面とし、シートＳの下面を裏面とする。
【００７０】
シートＳの先端部は、供給ローラ４３の周面下側に配置される。供給ローラ４３が前側から見て時計回りに回転されると、供給部４１上の最上のシートＳの上面と供給ローラ４３の周面との摩擦力などにより、そのシートＳが分離ローラ４４と分離片４５との間に送り込まれる。
【００７１】
分離ローラ４４は、前側から見て時計回りに回転されている。シートＳの先端部が分離ローラ４４と分離片４５との間に挟まれたときに、シートＳがたとえば１枚ずつに分離され、１枚のシートＳが分離ローラ４４と分離片４５との間を通過して、上経路３４を搬送される。
【００７２】
第１ＬＦローラ４７は、前側から見て時計回りに回転されている。第１従動ローラ４６は、第１ＬＦローラ４７の回転に伴って、前側から見て反時計回りに回転している。上経路３４を搬送されるシートＳの先端部が第１ＬＦローラ４７および第１従動ローラ４６の各周面の当接部分に到達すると、第１ＬＦローラ４７および第１従動ローラ４６からシートＳに搬送力が付与される。
【００７３】
そして、シートＳは、コンタクトガラス６２の上面と原稿押さえ部材６３との間を通過する。このとき、コンタクトガラス６２上のシートＳに、密着イメージセンサモジュール６１のＬＥＤ光源から光が照射される。そして、シートＳでの反射光が密着イメージセンサモジュール６１のイメージセンサに受けられることにより、シートＳの裏面に描かれている画像が読み取られる。
【００７４】
その後、シートＳの先端部は、第１ＬＦローラ４７および第１従動ローラ４６から付与される搬送力により、上経路３４から湾曲経路３６に送り込まれる。第２ＬＦローラ４９は、前側から見て反時計回りに回転される。第２従動ローラ５０および第３従動ローラ５１は、前側から見て時計回りに回転する。シートＳの先端部が第２ＬＦローラ４９および第２従動ローラ５０の各周面の当接部分に到達すると、第２ＬＦローラ４９および第２従動ローラ５０からシートＳに搬送力が付与される。その後、シートＳの先端部が第２ＬＦローラ４９および第３従動ローラ５１の各周面の当接部分に到達すると、第２ＬＦローラ４９および第３従動ローラ５１からシートＳに搬送力が付与され、湾曲経路３６から下経路３５に送り込まれる。なお、第２従動ローラ５０から第３従動ローラまでの間は第２ＬＦローラ４９と対向する側部２２の内壁面、及び下フレーム３２の内壁面が湾曲形状を成し、湾曲経路３６を形成することで、シートＳが下経路３５に向けて搬送される。
【００７５】
下経路３５に送り込まれたシートＳは、コンタクトガラス６５の左端部の上面と原稿押さえ部材６６との間を通過する。このとき、コンタクトガラス６５の左端部上のシートＳに、密着イメージセンサモジュール６４のＬＥＤ光源から光が照射される。そして、シートＳでの反射光が密着イメージセンサモジュール６４のイメージセンサに受けられることにより、シートＳの表面に描かれている画像が読み取られる。
【００７６】
上側の排出ローラ５３は、前側から見て反時計回りに回転される。下側の排出ローラ５３は、上側の排出ローラ５３の回転に伴って、前側から見て時計回りに回転している。シートＳの先端部が１対の排出ローラ５３の各周面の当接部分に到達すると、１対の排出ローラ５３からシートＳに搬送力が付与され、排出部５４に排出される。
【００７７】
＜押さえ部材＞
【００７８】
押さえ部材６３は、図２および図４に示されるように、金属板を折り曲げて形成されている。押さえ部材６３は、対向面７１、第１連続面７２および第２連続面７３を有している。対向面７１は、コンタクトガラス６２に上側から対向している。第１連続面７２は、対向面７１の左端縁から上方に延びている。第２連続面７３は、対向面７１の右端縁から右上方に延びている。
【００７９】
また、押さえ部材６３は、図３、図４および図５に示されるように、２つの被取付部７４を備える。被取付部７４は、第２連続面７３の前端縁および後端縁から上側に延びている。被取付部７４には、図４および図５に示されるように、挿通孔７５が前後方向に貫通して形成されている。挿通孔７５は、上下方向に長い長孔である。
【００８０】
メンテナンスカバー９は、図３に示されるように、２つの取付部７６を備えている。取付部７６は、各被取付部７４に対して前後方向の内側に設けられている。各取付部７６は、前後方向の外側に突出する軸部７７を備える。各軸部７７が押さえ部材６３の挿通孔７５に挿通されることにより、押さえ部材６３は、メンテナンスカバー９に軸部７７を中心に揺動可能に取り付けられている。
【００８１】
また、メンテナンスカバー９は、図２に示されるように、突出部７８を備える。突出部７８は、押さえ部材６３の対向面７１の上側に、上部２３の下面から突出して設けられている。
【００８２】
画像読取装置３は、コイルばね７９を備える。コイルばね７９は、付勢部材の一例であり、突出部７８に巻装されている。コイルばね７９は、メンテナンスカバー９の上部２３と押さえ部材６３の対向面７１との間に、圧縮状態で介在されている。そのため、押さえ部材６３は、コイルばね７９の弾性力により、下側に付勢されている。
【００８３】
＜アース構造＞
【００８４】
画像読取装置３は、図６に示されるように、駆動伝達部８１を備える。駆動伝達部８１は、ギヤ機構を含み、板金からなる駆動フレーム８２に支持されている。駆動フレーム８２は、後側板１２の左側部分１７の前側に配置されている。駆動フレーム８２は、アースに接続されている。駆動伝達部８１は、非図示のモータからの駆動力を供給ローラ４３、分離ローラ４４、第１ＬＦローラ４６、第２ＬＦローラ４９および上側の排出ローラ５３に伝達する。
【００８５】
また、画像読取装置３は、図３および図５に示されるように、駆動カバー８３を備える。駆動カバー８３は、駆動伝達部８１を上側から覆っている。
【００８６】
画像読取装置３は、図５、図６、図７および図８に示されるように、アース部材９１および支持部材１０１を備える。
【００８７】
アース部材９１は、図９に示されるように、金属製の線材を折り曲げて形成されている。アース部材９１は、上下延部９２、第１屈曲部９３、前後延部９４および第２屈曲部９５を有する。
【００８８】
上下延部９２は、上下方向に延びている。
【００８９】
第１屈曲部９３は、上下延部９２の上端から左上側に延び、途中部が屈曲して、右上側に延びている。
【００９０】
前後延部９４は、第１屈曲部９３の上端から後側に延びている。
【００９１】
第２屈曲部９５は、前後延部９４の後端から下側に延び、途中部が屈曲して、後上側に延びている。
【００９２】
支持部材１０１は、内部フレーム３１に一体的に形成されている。支持部材１０１は、コンタクトガラス６２の後端部の右側に設けられている。支持部材１０１は、本体部１０２、第１規制部１０３、抜け止め部１０４、突起１０５および第２規制部１０６を有する。
【００９３】
本体部１０２は、前後方向および上下方向に延びている。本体部１０２には、２つの切欠部１０７が前後方向に離れて形成されている。各切欠部１０７は、本体部１０２を上面と右面とに跨がって切り欠くことによって形成されている。
【００９４】
第１規制部１０３は、本体部１０２の前側に間隔を空けて設けられている。第１規制部１０３は、本体部１０２の前面と平行に上下方向に延びている。
【００９５】
抜け止め部１０４は、本体部１０２の各切欠部１０７に設けられている。抜け止め部１０４は、切欠部１０７と対向し上下方向に延びる当接部１０８と、当接部１０８の上端から左側に突出する爪１０９とを有している。
【００９６】
突起１０５は、本体部１０２の２つの切欠部１０７の間において、上面から突出している。突起１０５は、突起１０５の右端と抜け止め部１０４の当接部１０８の左面１１１を含む仮想平面Ｆとの左右方向の間隔がアース部材９１の径よりも小さいように設けられている。
【００９７】
第２規制部１０６は、規制部の一例であり、２つの規制片１１０を備える。各規制片１１０は、本体部１０２の後面から後側に突出し、上下方向に延びている。２つの規制片１１０は、左右方向に間隔を空けて設けられている。
【００９８】
アース部材９１は、上記のように構成される支持部材１０１に支持されている。具体的には、アース部材９１の上下延部９２は、支持部材１０１の右側であって、本体部１０２と第１規制部１０３との間の空間よりも下側の位置で、上下方向に延びている。アース部材９１の第１屈曲部９３は、本体部１０２と第１規制部１０３との間に挿通され、本体部１０２および第１規制部１０３の左面よりもさらに左側に突出している。アース部材９１の前後延部９４は、支持部材１０１の２つの抜け止め部１０４の爪１０９の下方で前後方向に延びている。前後延部９４は、各抜け止め部１０４の当接部１０８の左面１１１に左側から当接し、２つの抜け止め部１０４の間において、突起１０５を右側に避けて配置されている。これにより、前後延部９４は、突起１０５と２つの当接部１０８の左面１１１とに挟持されている。ここで、突起１０５は、その右端と抜け止め部１０４の当接部１０８の左面１１１を含む仮想平面Ｆとの左右方向の間隔がアース部材９１の径よりも小さくなるように設けられているため、アース部材９１の前後延部９４が撓みつつ突起１０５をよけて、２つの抜け止め部１０４間に延設される。これにより、アース部材９１が支持部材１０１に対して前後方向により位置ずれしにくい構成となっている。
【００９９】
また、前後延部９４が爪１０９の下側に配置されることにより、前後延部９４が突起１０５と２つの当接部１０８との間から上側に抜けることが防止されている。アース部材９１の第２屈曲部９５は、支持部材１０１の第２規制部１０６の２つの規制片１１０の間に配置されている。これにより、第２屈曲部９５が前後延部９４を中心に回動することが規制されている。そして、第２屈曲部９５の先端は、図７に示されるように、駆動フレーム８２の前面に当接している。
【０１００】
メンテナンスカバー９が閉位置に配置されると、図５に示すように、押さえ部材６３の第２連続面７３がアース部材９１の第１屈曲部９３に上側から接触する。これにより、押さえ部材６３は、アース部材９１を介して、駆動フレーム８２と電気的に接続される。その結果、押さえ部材６３は、０Ｖのアース電位となる。
【０１０１】
アース部材９１の第１屈曲部９３は、押さえ部材６３から下側に向かう力を受ける。支持部材１０１の第２規制部１０６により、第２屈曲部９５が前後延部９４を中心に回動することが規制されているので、第１屈曲部９３は、押さえ部材６３から受ける力によって変形する。そのため、第１屈曲部９３には、その変形に伴う弾性力が生じる。アース部材９１を構成する線材には、その第１屈曲部９３に生じる弾性力が押さえ部材６３の自重とコイルばね７９による付勢力との合計よりも小さくなるようなものが採用されている。
【０１０２】
＜作用効果＞
【０１０３】
以上のように、メンテナンスカバー９を閉位置から開位置に変位させることにより、上読取部４８を開放することができる。よって、上読取部４８の近傍で発生したシートＳのジャムを容易に解消することができる。
【０１０４】
メンテナンスカバー９は、金属製の原稿押さえ部材６３を保持している。メンテナンスカバー９が閉位置に位置する状態で、原稿押さえ部材６３が上経路３４を挟んで上読取部４８と対向する。そのため、シートＳの画像が読み取られるときには、原稿押さえ部材６３により、シートＳが上読取部４８に向けて押圧される。これにより、シートＳを上読取部４８のコンタクトガラス６２に密着させることができる。その結果、上読取部４８により、シートＳの画像を高品質に読み取ることができる。
【０１０５】
シートＳがコンタクトガラス６２および原稿押さえ部材６３に摺擦することにより、上読取部４８および原稿押さえ部材６３に電荷が溜まることがある。この電荷は、上読取部４８による画像の読み取りの品質に悪影響を及ぼすおそれがある。
【０１０６】
メンテナンスカバー９が閉位置に位置する状態では、アース部材９１が原稿押さえ部材６３に接触する。アース部材９１は、金属製の駆動フレーム８２に直接に接続されている。これにより、上読取部４８近傍および原稿押さえ部材６３が帯電しても、原稿押さえ部材６３からアース部材９１を介して駆動フレーム８２に電荷を逃がすことができる。よって、上読取部４８近傍および原稿押さえ部材６３の帯電による読取品質の低下を防止することができる。
【０１０７】
また、メンテナンスカバー９が開位置に位置する状態では、原稿押さえ部材６３とアース部材９１とが離間する。そのため、メンテナンスカバー９が変位されるときに、アース部材９１がメンテナンスカバー９の変位の妨げになることを抑制できる。よって、メンテナンスカバー９をスムーズに変位させることができる。
【０１０８】
画像読取装置３は、メンテナンスカバー９が閉位置に位置する状態で前後方向における原稿押さえ部材６３と駆動フレーム８２との間の位置に配置され、アース部材９１を支持する支持部材１０１を備えている。支持部材１０１には、アース部材９１の移動を規制する第２規制部１０６が形成されている。
【０１０９】
これにより、アース部材９１の移動が規制されるので、アース部材９１を原稿押さえ部材６３と駆動フレーム８２とに安定して接続することができる。
【０１１０】
また、支持部材１０１には、アース部材９１が上側に抜けることを防止する抜け止め部１０４が形成されている。
【０１１１】
これにより、メンテナンスカバー９が開かれるときに、アース部材９１がメンテナンスカバー９に連れられて、支持部材１０１から抜けることを防止できる。
【０１１２】
抜け止め部１０４は、前後方向に間隔を空けた２箇所に設けられている。各抜け止め部１０４は、右側からアース部材９１に当接する当接部１０８と、当接部１０８の左面１１１から左側に突出し、アース部材９１にメンテナンスカバー９側から当接する爪１０９とを備える。支持部材１０１には、２つの抜け止め部１０４の間に、突起１０５が形成されている。アース部材９１は、２つの抜け止め部１０４の間において、突起１０５を右側に避けて配置されている。突起１０５は、突起１０５の右端と抜け止め部１０４の当接部１０８の左面１１１を含む仮想平面Ｆとの左右方向の間隔がアース部材９１の径よりも小さいように設けられている。これにより、アース部材９１の一部は、左面１１１を含む仮想平面Ｆに対して右側に位置している。
【０１１３】
この構成によれば、２つの当接部１０８の左面１１１と突起１０５とにより、アース部材９１を挟持して、アース部材９１をずれないように支持することができる。また、爪１０９により、アース部材９１が２つの当接部１０８の左面１１１と突起１０５との間から抜けることを防止できる。
【０１１４】
アース部材９１は、金属製の線材を折り曲げて形成されている。そして、アース部材９１は、第１屈曲部９３の弾性を利用して、原稿押さえ部材６３に弾性的に接触している。
【０１１５】
この構成によれば、メンテナンスカバー９が開位置から閉位置に変位されるときに、アース部材９１の撓みにより、アース部材９１をそのメンテナンスカバー９の移動に追従して接触させることができる。その結果、アース部材９１を原稿押さえ部材６３に良好に接触させることができる。
【０１１６】
原稿押さえ部材６３は、金属板を折り曲げて形成されている。原稿押さえ部材６３は、メンテナンスカバー９が閉位置に位置する状態で上読取部４８に対向する対向面７１と、対向面７１に連続し、アース部材９１における直線状に延びる部分が接触する第２連続面７３とを有している。
【０１１７】
この構成によれば、原稿押さえ部材６３の対向面により、シートＳを上読取部４８に向けて押圧することができる。アース部材９１が原稿押さえ部材６３の第２連続面７３に接触するので、アース部材９１がシートＳの搬送の妨げになったり、アース部材９１が対向面７１によるシートＳの押圧を阻害したりすることを抑制できる。
【０１１８】
原稿押さえ部材６３は、コイルばね７９により、上読取部４８側に付勢されている。アース部材９１は、第１屈曲部９３と原稿押さえ部材６３とが接触したときに、第１屈曲部９３に生じる弾性力が原稿押さえ部材６３の自重とコイルばね７９の付勢力との合計よりも小さくなるように設計されている。
【０１１９】
この構成によれば、アース部材９１の第１屈曲部９３に生じる弾性力により、原稿押さえ部材６３が上読取部４８から浮き上がることを抑制できる。そのため、原稿押さえ部材６３により、シートＳを上読取部４８に向けて安定して押圧することができる。
【０１２０】
＜変形例＞
【０１２１】
以上、本発明の一実施形態について説明したが、本発明は、他の形態で実施することもできる。
【０１２２】
たとえば、前述の実施形態では、シートＳが搬送される間に、シートＳの両面の画像を読み取ることができる構成の画像読取装置３を取り上げた。しかしながら、本発明は、シートＳが搬送される間に、シートＳの一方面の画像が読み取られる構成の画像読取装置に適用されてもよい。
【０１２３】
その他、前述の構成には、特許請求の範囲に記載された事項の範囲で種々の設計変更を施すことが可能である。
【符号の説明】
【０１２４】
３      画像読取装置
３３    搬送経路
３４    上経路
３５    下経路
４３    供給ローラ
４４    分離ローラ
４６    第１ＬＦローラ
４７    第１従動ローラ
４８    上読取部
４９    第２ＬＦローラ
５０    第２従動ローラ
５１    第３従動ローラ
５２    下読取部
５３    排出ローラ
９１    アース部材
９３    第１屈曲部
１０１  支持部
１０４  抜け止め部
１０５  突起
１０６  第２規制部
１０８  当接部
１０９  爪
１１１  左面
【図１】
2014120850.tif 000003
【図２】
2014120850.tif 000004
【図３】
2014120850.tif 000005
【図４】
2014120850.tif 000006
【図５】
2014120850.tif 000007
【図６】
2014120850.tif 000008
【図７】
2014120850.tif 000009
【図８】
2014120850.tif 000010
【図９】
2014120850.tif 000011